(57)【特許請求の範囲】
【請求項１】
側壁の上部に設けられるエレベータかごの天井であって、
シート状に形成され、断面形状が渦巻状となるように巻かれる巻状態と平形状となる平状態との間で状態が変化する天井基部と、
前記天井基部における一方の面に並べて配置され、前記天井基部の状態が平状態の場合に前記天井基部における一方の面が凹状に変形することを規制する複数の補強部と、
シート状に形成され、断面形状が渦巻状となるように巻かれる巻状態と平形状となる平状態との間で状態が変化する補強基部と、
前記補強基部の状態が平状態の場合に前記補強基部における一方の面に並べて配置される複数の突起部と
を備え、
前記天井基部は、前記天井基部の状態が巻状態である場合に、前記補強部が配置された前記天井基部における他方の面が中心側を向くように巻かれ、
前記補強基部は、前記補強基部の状態が平状態である場合に、状態が平状態の前記天井基部に対して、前記突起部が隣り合う前記補強部の間に挿入されるように、重ねられることを特徴とするエレベータかごの天井。
【請求項２】
前記天井基部は、前記補強部が設けられる複数の平板部と、隣り合う前記平板部の間に設けられる回動軸とを有し、隣り合う一対の前記平板部の中の一方は他方に対して前記回動軸を中心に回動可能となっていることを特徴とする請求項１に記載のエレベータかごの天井。
【請求項３】
前記補強部には、かご内を照らす照明装置およびかご内を換気する換気装置の少なくとも一方が収納される収納室が形成されていることを特徴とする請求項１または請求項２に記載のエレベータかごの天井。
【発明の詳細な説明】
【技術分野】
【０００１】
この発明は、側壁の上部に設置されるエレベータかごの天井に関する。
【背景技術】
【０００２】
従来、かご床と、かご床に立てられた複数枚の側壁と、平板形状に形成され、側壁の上部に設置された天井とを備えたエレベータかごが知られている（例えば、特許文献１参照）。
【先行技術文献】
【特許文献】
【０００３】
【特許文献１】特開２００３−２５２５５０号公報
【発明の概要】
【発明が解決しようとする課題】
【０００４】
しかしながら、天井が平板形状に形成されているので、例えば、天井をリニューアルするために、乗場から乗場出入口を通って天井を昇降路内に搬入し、さらに、かごの側壁とかご枠の上枠とのに天井を配置する場合に、天井が乗場出入口を通り難く、さらに、天井がかごの側壁とかご枠の上枠との間に入り難い。その結果、天井の設置が困難であるという問題点があった。
【０００５】
この発明は、天井の設置を容易に行うことができるエレベータかごの天井を提供するものである。
【課題を解決するための手段】
【０００６】
この発明に係るエレベータかごの天井は、側壁の上部に設けられるエレベータかごの天井であって、シート状に形成され、断面形状が渦巻状となるように巻かれる巻状態と平形状となる平状態との間で状態が変化する天井基部と、天井基部における一方の面に並べて配置され、天井基部の状態が平状態の場合に天井基部における一方の面が凹状に変形することを規制する複数の補強部と、シート状に形成され、断面形状が渦巻状となるように巻かれる巻状態と平形状となる平状態との間で状態が変化する補強基部と、補強基部の状態が平状態の場合に補強基部における一方の面に並べて配置される複数の突起部とを備え、天井基部は、天井基部の状態が巻状態である場合に、補強部が配置された天井基部における他方の面が中心側を向くように巻かれ、補強基部は、補強基部の状態が平状態である場合に、状態が平状態の天井基部に対して、突起部が隣り合う補強部の間に挿入されるように、重ねられる。
【発明の効果】
【０００７】
この発明に係るエレベータかごの天井によれば、シート状に形成され、断面形状が渦巻状となるように巻かれる巻状態と平形状となる平状態との間で状態が変化する天井基部と、天井基部における一方の面に並べて配置され、天井基部の状態が平状態の場合に天井基部における一方の面が凹状に変形することを規制する複数の補強部とを備え、天井基部は、天井基部の状態が巻状態である場合に、補強部が配置された天井基部における他方の面が中心側を向くように巻かれるので、天井基部の状態を巻状態にすることによって、天井が乗場出入口を通りやすくなり、さらに、天井がかごの側壁とかご枠の上枠との間に入りやすくなる。その結果、天井の設置を容易に行うことができる。
【図面の簡単な説明】
【０００８】
【図１】この発明の実施の形態１に係るエレベータかごを示す構成図である。
【図２】図１の天井を示す拡大図である。
【図３】図１の天井を示す平面図である。
【図４】図１の天井を変形させた状態を示す正面図である。
【図５】図１の天井を示す底面図である。
【図６】この発明の実施の形態２に係るエレベータかごの天井の要部を示す構成図である。
【図７】図６の天井を変形させた状態を示す正面図である。
【図８】この発明の実施の形態３に係るエレベータかごの天井の要部を示す構成図である。
【発明を実施するための形態】
【０００９】
実施の形態１．
図１はこの発明の実施の形態１に係るエレベータかご装置を示す構成図である。図において、エレベータかご装置は、かご（エレベータかご）１と、かごを支持するかご枠２とを備えている。
【００１０】
かご１は、利用者が乗るかご床３と、かご床３に立てられた複数枚の側壁４と、側壁４の上部に設けられた天井５Ａとを有している。
【００１１】
かご枠２は、かご床３の下方に設けられ、かご１を支持する下枠６と、下枠６に立てられた一対の縦枠７と、縦枠７の上部に設けられた上枠８とを有している。上枠８には、ロープ（図示せず）が接続されている。ロープが移動することによって、かご枠２が昇降路を昇降する。かご枠２が昇降路を昇降することにともなって、かご１が昇降路を昇降する。
【００１２】
図２は図１の天井５Ａを示す拡大図、図３は図１の天井５Ａを示す平面図である。天井５Ａは、１枚のシート状に形成され弾性変形可能な天井基部５０１Ａと、天井基部５０１Ａの一方の面５０２に並べて配置された複数の補強部５０３とを有している。
【００１３】
補強部５０３は、天井５Ａの幅方向に延びて配置されている。複数の補強部５０３は、天井５Ａの奥行方向に並べて配置されている。この例では、天井５Ａの幅方向とは、かご１の幅方向であり、図３の矢印Ａの方向である。また、この例では、天井５Ａの奥行方向とは、かご１の奥行方向であり、図３の矢印Ｂの方向である。
【００１４】
補強部５０３は、奥行方向に垂直な断面の形成が、台形形状となっている。補強部５０３は、台形形状の下底部分が天井基部５０１Ａの一方の面５０２に接続されている。なお、補強部５０３の断面形状は、台形形状に限らず、四角形状または三角形状などであってもよい。
【００１５】
図４は図１の天井５Ａを変形させた状態を示す正面図である。天井基部５０１Ａは、断面形状が渦巻状となるように巻かれる巻状態と、平形状となる平状態との間で状態が変化する。天井基部５０１Ａは、天井基部５０１Ａの状態が巻状態である場合に、補強部５０３が配置された天井基部５０１Ａにおける他方の面５０４が天井基部５０１Ａの中心側を向くように巻かれる。
【００１６】
天井基部５０１Ａの状態が平状態である場合に、補強部５０３が設けられた天井基部５０１Ａの面５０２に対して、面５０２が凹状に変形する方向に力が加えられると、隣り合う補強部５０３が互いの側面同士が接触することにより、面５０２の凹状の変形が抑制される。つまり、補強部５０３は、天井基部５０１Ａの状態が平状態の場合に天井基部５０１Ａにおける面５０２が凹状に変形することを規制する。
【００１７】
図２に示すように、複数の補強部５０３の中の少なくとも１つには、ＬＥＤ照明装置（図示せず）が収納される収納室５０５が形成されている。また、複数の補強部５０３の中の少なくとも１つには、換気装置（図示せず）が収納される収納室５０６が形成されている。なお、収納室５０５および収納室５０６の何れか一方のみが補強部５０３に形成される構成であってもよい。
【００１８】
図５は図１の天井５Ａを示す底面図である。天井基部５０１Ａには、収納室５０５に対応する部分に、ＬＥＤ照明装置から発せられた光が通る透光孔５０７が形成されている。また、天井基部５０１Ａには、収納室５０６に対応する部分に、換気装置によって発生する気流が通る貫通孔５０８が形成されている。
【００１９】
天井５Ａは、透光孔５０７に着脱可能に設けられＬＥＤ照明装置から発せられた光が透過可能な照明装置カバー５０９と、貫通孔５０８に着脱可能に設けられ換気装置の駆動によって発生する気流が通る換気装置カバー５１０とをさらに備えている。
【００２０】
次に、天井５Ａを側壁４の上部に設置する方法について説明する。まず、天井基部５０１Ａの状態を巻状態にして、天井５Ａを乗場出入口から昇降路に搬入する。その後、天井基部５０１Ａの状態が巻状態の状態で、天井５Ａを側壁４と上枠８との間に配置する。
【００２１】
その後、天井５Ａの天井基部５０１Ａの状態を巻状態から平状態に変化させて、天井５Ａを側壁４の上に載せる。その後、ボルト等の締結部材を用いて、天井５Ａを側壁４の上部に固定する。
【００２２】
次に、側壁４の上部に設置されている天井５Ａを昇降路から搬出する方法について説明する。まず、天井５Ａと側壁４の上部とを固定している締結部材を天井５Ａおよび側壁４から取り外す。その後、天井基部５０１Ａの状態を平状態から巻状態に変化させる。
【００２３】
その後、天井基部５０１Ａの状態が巻状態となった天井５Ａを側壁４と上枠との間から乗場出入口を通って、昇降路の外側に搬出する。
【００２４】
以上説明したように、この発明の実施の形態１に係る天井５Ａによれば、シート状に形成され、断面形状が渦巻状となるように巻かれる巻状態と平形状となる平状態との間で状態が変化する天井基部５０１Ａと、天井基部５０１Ａにおける一方の面５０２に並べて配置され、天井基部５０１Ａの状態が平状態の場合に天井基部５０１Ａにおける一方の面５０２が凹状に変形することを規制する複数の補強部５０３とを備え、天井基部５０１Ａは、天井基部５０１Ａの状態が巻状態である場合に、補強部５０３が配置された天井基部５０１Ａにおける他方の面５０４が中心側を向くように巻かれるので、天井基部５０１Ａの状態を巻状態にすることによって、天井５Ａが乗場出入口を通りやすくなり、さらに、天井５Ａがかご１の側壁４とかご枠２の上枠８との間に入りやすくなる。その結果、天井５Ａの設置を容易に行うことができる。
【００２５】
また、補強部５０３には、かご１内を照らす照明装置が収納される収納室５０５が形成され、さらに、かご１内を換気する換気装置が収納される収納室５０６が形成されているので、天井５Ａに、照明装置および換気装置を設置することができる。
【００２６】
実施の形態２．
図６はこの発明の実施の形態２に係る天井５Ｂを示す構成図、図７は図６の天井５Ｂを変形させた状態を示す正面図である。図において、天井５Ｂの天井基部５０１Ｂは、補強部５０３が設けられる複数の平板部５１１と、隣り合う平板部５１１の間に設けられる回動軸５１２とを有している。隣り合う一対の平板部５１１の中の一方は他方に対して回動軸５１２を中心に回動可能となっている。これにより、天井基部５０１Ｂは、断面形状が渦巻状となるように巻かれる巻状態と平形状となる平状態との間で状態が変化する。また、天井基部５０１Ｂは、天井基部５０１Ｂの状態が巻状態である場合に、補強部５０３が配置された天井基部５０１Ｂにおける他方の面５０４が中心側を向くように巻かれる。その他の構成は、実施の形態１と同様である。
【００２７】
以上説明したように、この発明の実施の形態２に係る天井５Ｂによれば、天井基部５０１Ｂは、補強部５０３が設けられる複数の平板部５１１と、隣り合う平板部５１１の間に設けられる回動軸５１２とを有し、隣り合う一対の平板部５１１の中の一方は他方に対して回動軸５１２を中心に回動可能となっているので、天井基部５０１Ｂの状態を巻状態と平状態との間で容易に変化させることができる。
【００２８】
実施の形態３．
図８はこの発明の実施の形態３に係る天井５Ｃの要部を示す構成図である。図において、天井５Ｃは、一枚のシート状に形成され弾性変形可能な補強基部５１３と、補強基部５１３の一方の面５１４に並べて配置された突起部５１５とをさらに有している。
【００２９】
突起部５１５は、天井５Ｃの幅方向に延びて配置されている。複数の突起部５１５は、天井５Ｃの奥行方向に並べて配置されている。
【００３０】
突起部５１５は、奥行方向に垂直な断面の形状が、台形形状となっている。また、突起部５１５は、台形形状の下底部分が補強基部５１３の一方の面５１４に接続されている。突起部５１５は、天井基部５０１Ａの状態が平状態である場合に隣り合う補強部５０３の間の空間の形状に対応するように形成されている。
【００３１】
補強基部５１３は、天井基部５０１Ａと同様に、断面形状が渦巻状となるように巻かれる巻状態と平形状となる平状態との間で状態が変化する。補強基部５１３は、補強基部５１３の状態が巻状態である場合に、突起部５１５が配置された補強基部５１３における他方の面５１６が中心軸側を向くように巻かれる。
【００３２】
補強基部５１３は、補強基部５１３の状態が平状態である場合に、状態が平状態の天井基部５０１Ａに対して、突起部５１５が隣り合う補強部５０３の間に挿入されるように、重ねられる。この例では、補強基部５１３が天井基部５０１Ａに重ねられた状態で上方から視た場合に、補強基部５１３の面積と天井基部５０１Ａの面積が一致するようになっており、補強基部５１３の全体が天井基部５０１Ａに重なるように設けられている。なお、補強基部５１３の面積が天井基部５０１Ａの面積よりも小さく形成され、補強基部５１３が天井基部５０１Ａの一部に重なるように設けられてもよい。隣り合う補強部５０３の間に突起部５１５が挿入されることにより、天井基部５０１Ａの状態が平状態の場合に、天井基部５０１Ａにおける一方の面５０２が凹状に変形することがより規制される。その他の構成は、実施の形態１と同様である。
【００３３】
以上説明したように、この発明の実施の形態３に係る天井５Ｃによれば、シート状に形成され、断面形状が渦巻状となるように巻かれる巻状態と平形状となる平状態との間で状態が変化する補強基部５１３と、補強基部５１３の状態が平状態の場合に補強基部５１３における一方の面５１４に並べて配置される複数の突起部５１５とをさらに備え、補強基部５１３は、補強基部５１３の状態が平状態である場合に、状態が平状態の天井基部５０１Ａに対して、突起部５１５が隣り合う補強部５０３の間に挿入されるように、重ねられるので、状態が平状態の天井基部５０１Ａにおける一方の面５０２が凹状に変形することをより規制することができる。また、補強基部５１３の状態を巻状態にすることによって、補強基部５１３および突起部５１５が乗場出入口を通りやすくなり、さらに、補強基部５１３および突起部５１５がかご１の側壁４とかご枠２の上枠８との間に入りやすくなる。
【００３４】
なお、上記実施の形態３では、一枚のシート状に形成された天井基部５０１Ａを有する天井５Ｃの構成について説明したが、実施の形態２に記載の天井基部５０１Ｂを有する天井５Ｃの構成であってもよい。
【００３５】
また、上記実施の形態３では、一枚のシート状に形成され弾性変形可能な補強基部５１３を有する天井５Ｃの構成について説明したが、実施の形態２に記載の天井基部５０１Ｂのように、突起部５１５が取り付けられる複数の平板部と、隣り合う平板部の間に設けられる回動軸とを有する構成であってもよい。
【符号の説明】
【００３６】
１  かご、２  かご枠、３  かご床、４  側壁、５Ａ、５Ｂ、５Ｃ  天井、６  下枠、７  縦枠、８  上枠、５０１Ａ、５０１Ｂ  天井基部、５０２  面、５０３  補強部、５０４  面、５０５  収納室、５０６  収納室、５０７  透光孔、５０８  貫通孔、５０９  照明装置カバー、５１０  換気装置カバー、５１１  平板部、５１２  回動軸、５１３  補強基部、５１４  面、５１５  突起部、５１６  面。
【図１】
0006485807.tif 000002
【図２】
0006485807.tif 000003
【図３】
0006485807.tif 000004
【図４】
0006485807.tif 000005
【図５】
0006485807.tif 000006
【図６】
0006485807.tif 000007
【図７】
0006485807.tif 000008
【図８】
0006485807.tif 000009